(57)【要約】【課題】電気掃除機を使用せずにモップの紡糸を塵落とし手段に反復衝突させるだけで、紡糸に吸着した塵埃を綺麗に落とすことができるモップ用除塵装置を提供する。【解決手段】モップ６０先端の紡糸６０Ａを挿入可能な内部空間２０を有する塵埃除去箱１２を設ける。塵埃除去箱１２内に設けられ、紡糸６０Ａに付着した塵埃を落とす塵落とし手段４２と、塵埃除去箱１２の上面開口２２を開閉自在に閉塞する観音開き式の蓋３０と、各蓋３０の両側部にそれぞれ構成された横壁部３４とを設ける。蓋３０を閉じた状態で、当該蓋３０の各横壁部３４は塵埃除去箱１２内に格納されると共に、各蓋３０を起立させた状態で、各蓋３０及び横壁部３４により塵埃除去箱１２上面開口２２の上方における空間（上部空間２１）周囲を囲繞する縦壁３６を構成する。【選択図】図１２
0003135573.tif 000002
【実用新案登録請求の範囲】
【請求項１】
モップ先端の紡糸を挿入可能な内部空間を有する塵埃除去箱と、
該塵埃除去箱内に設けられ、前記紡糸に付着した塵埃を落とす塵落とし手段と、
前記塵埃除去箱の上面開口を開閉自在に閉塞する観音開き式の蓋と、
各蓋の両側部にそれぞれ構成された横壁部とを備え、
前記蓋を閉じた状態で、当該蓋の各横壁部は前記塵埃除去箱内に格納されると共に、各蓋を起立させた状態で、各蓋及び横壁部により前記塵埃除去箱上面開口の上方における空間の周囲を囲繞する縦壁が構成されることを特徴とするモップ用除塵装置。
【請求項２】
各蓋を起立させた状態で、一方の蓋の前記横壁部は対向する他方の蓋の前記横壁部に重複することで前記縦壁を構成することを特徴とする請求項１に記載のモップ用除塵装置。
【請求項３】
各蓋は前記塵埃除去箱の上面開口を閉じた状態で少なくとも一部が重複すると共に、該上面開口の中心部に対応する位置に、前記モップの柄が通過可能な透孔を構成することを特徴とする請求項１又は請求項２に記載のモップ用除塵装置。
【請求項４】
前記塵落とし手段は、ベース板と、該ベース板に所定の間隔で立設された複数本の塵落とし棒とを備え、前記ベース板と塵落とし棒は合成樹脂にて一体に成形されており、各塵落とし棒は、前記紡糸の長さの１．３倍以上２．０倍以下の長さとされていることを特徴とする請求項１乃至請求項３の何れかに記載のモップ用除塵装置。
【請求項５】
各塵落とし棒は、前記紡糸の長さの１．５倍の長さとされていることを特徴とする請求項４に記載のモップ用除塵装置。
【請求項６】
前記ベース板の周囲には、他のベース板と連結／離脱可能な連結部が形成されており、該連結部は各ベース板の平断面方向への移動を禁止し、垂直断面方向への移動を許容することを特徴とする請求項４又は請求項５に記載のモップ用除塵装置。
【請求項７】
前記ベース板には当該ベース板の垂直断面方向に貫通する貫通穴が形成されていることを特徴とする請求項４乃至請求項６の何れかに記載のモップ用除塵装置。
【考案の詳細な説明】
【技術分野】
【０００１】
本考案は、掃除を行い塵埃を吸着したモップから簡単に塵埃を除去することができるモップ用除塵装置に関するものである。
【背景技術】
【０００２】
一般家庭やオフィスでは掃除用具としてモップや電気掃除機が知られているが、近年では雑巾は殆ど使用されず、通称モップと呼ばれる毛糸状の繊維を密植した長柄付の紡糸モップが使用されている。このモップは、糸の形状と含浸吸着剤により大量の塵やほこりを簡単に吸着することが可能な、所謂ダストモップと称されている。そして、掃除を行い塵埃を吸着したモップから塵埃を除去する場合は、ベランダや縁側などでモップを叩いて塵埃を落としたり、電気掃除機の吸引管をモップに当てて塵埃を落としたり、紡糸が汚れたモップをそのまま業者に返品し、塵埃が付着していない新たなモップに取り換えて貰ったりしているのが現状であった。
【０００３】
そこで、塵埃を吸着して汚れたモップから、塵埃を落として新しい状態のモップに再生することができるモップ用掃除機が提案されている。このモップ用掃除機は、開閉蓋を開いてモップ収納体内にモップを収納し、開閉蓋を閉じる。開閉蓋の上に突出させたモップの柄を手で持って上下動させて、モップをすのこ状の塵埃払い落とし体に反復衝突させることにより、モップに吸着した塵埃を落としていた。
【０００４】
そして、モップ収納体内に吸込口を連通させた電気掃除機を運転することにより、モップ収納体内に落ちた塵埃を電気掃除機で吸引していた。これにより、モップに吸着した塵埃がベランダや縁側などに飛散することなく回収して、モップを新品同様に綺麗にしていた（特許文献１参照）。
【特許文献１】実開平４−６０１６４号公報
【考案の開示】
【考案が解決しようとする課題】
【０００５】
しかしながら、モップ用掃除機はモップ収納体内に吸込口を連通させた電気掃除機を運転することにより、モップ収納体内に落ちたモップの塵埃を吸引していた。この方法でモップの掃除を行うと、モップに吸着した塵埃はベランダや縁側などに飛散しないものの、電気掃除を使用しないと塵埃を吸着したモップを綺麗にできないという問題があった。
【０００６】
また、モップの拭き取り部を構成する多数の紡糸を、すのこ状の塵埃払い落とし体に反復衝突させて紡糸に吸着した塵埃を落とす際、すのこ状の塵埃払い落とし体で紡糸が折り畳まれてしまう。このため、モップに吸着した塵埃を迅速に脱落させて除去させることができないと言う問題があった。
【０００７】
本考案は、係る従来技術の課題を解決するために成されたものであり、電気掃除機を使用せずにモップの紡糸を塵落とし手段に反復衝突させるだけで、紡糸に吸着した塵埃を綺麗に落とすことができるモップ用除塵装置を提供することを目的とする。
【課題を解決するための手段】
【０００８】
即ち、本考案のモップ用除塵装置は、モップ先端の紡糸を挿入可能な内部空間を有する塵埃除去箱と、該塵埃除去箱内に設けられ、紡糸に付着した塵埃を落とす塵落とし手段と、塵埃除去箱の上面開口を開閉自在に閉塞する観音開き式の蓋と、各蓋の両側部にそれぞれ構成された横壁部とを備え、蓋を閉じた状態で、当該蓋の各横壁部は塵埃除去箱内に格納されると共に、各蓋を起立させた状態で、各蓋及び横壁部により塵埃除去箱上面開口の上方における空間の周囲を囲繞する縦壁が構成されることを特徴とする。
【０００９】
また、請求項２の考案のモップ用除塵装置は、上記において、各蓋を起立させた状態で、一方の蓋の横壁部は対向する他方の蓋の横壁部に重複することで縦壁を構成することを特徴とする。
【００１０】
また、請求項３の考案のモップ用除塵装置は、請求項１又は請求項２において、各蓋は塵埃除去箱の上面開口を閉じた状態で少なくとも一部が重複すると共に、該上面開口の中心部に対応する位置に、モップの柄が通過可能な透孔を構成することを特徴とする。
【００１１】
また、請求項４の考案のモップ用除塵装置は、請求項１乃至請求項３の何れかに加えて、塵落とし手段は、ベース板と、該ベース板に所定の間隔で立設された複数本の塵落とし棒とを備え、ベース板と塵落とし棒は合成樹脂にて一体に成形されており、各塵落とし棒は、紡糸の長さの１．３倍以上２．０倍以下の長さとされていることを特徴とする。
【００１２】
また、請求項５の考案のモップ用除塵装置は、請求項４において、各塵落とし棒は、紡糸の長さの１．５倍の長さとされていることを特徴とする。
【００１３】
また、請求項６の考案のモップ用除塵装置は、請求項４又は請求項５において、ベース板の周囲には、他のベース板と連結／離脱可能な連結部が形成されており、該連結部は各ベース板の平断面方向への移動を禁止し、垂直断面方向への移動を許容することを特徴とする。
【００１４】
また、請求項７の考案のモップ用除塵装置は、請求項４乃至請求項６の何れかにおいて、ベース板には当該ベース板の垂直断面方向に貫通する貫通穴が形成されていることを特徴とする。
【考案の効果】
【００１５】
本考案では、モップ先端の紡糸を挿入可能な内部空間を有する塵埃除去箱と、該塵埃除去箱内に設けられ、紡糸に付着した塵埃を落とす塵落とし手段と、塵埃除去箱の上面開口を開閉自在に閉塞する観音開き式の蓋と、各蓋の両側部にそれぞれ構成された横壁部とを備え、蓋を閉じた状態で、当該蓋の各横壁部は塵埃除去箱内に格納されると共に、各蓋を起立させた状態で、各蓋及び横壁部により塵埃除去箱上面開口の上方における空間の周囲を囲繞する縦壁が構成されるので、この縦壁により蓋を閉じたときよりも塵埃除去箱の深さを深くすることができる。これにより、例えば、モップ先端の紡糸から落ちた塵埃が、縦壁の上部開口から外部に飛散してしまうのを防止することができる。従って、モップの紡糸から落ちた塵埃を塵埃除去箱内に確実に収容することができると共に、モップの紡糸から落ちた塵埃が塵埃除去箱周囲に飛散して、塵埃除去箱の周囲が汚れてしまう等という不都合を防止することができる。
【００１６】
また、請求項２の考案では、上記において、各蓋を起立させた状態で、一方の蓋の横壁部は対向する他方の蓋の横壁部に重複することで縦壁を構成するので、起立させた一方の蓋の縦壁と、対向する他方の蓋に設けた縦壁間に隙間が空いてしまうのを確実に防止することができる。これにより、横壁部により構成される縦壁に隙間がなくなるので、塵埃除去箱内の塵埃が外部に漏れ出てしまうのを防止することができる。従って、塵埃除去箱内に落ちた塵埃が両横壁部間から塵埃除去箱外部に飛散して、周囲を汚してしまうなどといった不都合を確実に防止することができるようになるものである。
【００１７】
また、請求項３の考案では、請求項１又は請求項２において、各蓋は塵埃除去箱の上面開口を閉じた状態で少なくとも一部が重複すると共に、該上面開口の中心部に対応する位置に、モップの柄が通過可能な透孔を構成するので、例えば、通常先端が箱上面の略中央で突き当てになっている蓋を開いたときよりも、一部が重複した蓋を開いた方が、重複している寸法だけ塵埃除去箱の深さを深くすることができる。これにより、モップの紡糸から落ちた塵埃が縦壁の上部開口から飛び出して、塵埃除去箱の周囲が汚れてしまうなどの不都合を一層確実に防止することができる。
【００１８】
特に、各蓋を閉じた状態で、塵埃除去箱の上面開口の中心部に対応する位置に、モップの柄が通過可能な透孔を構成するので、モップを使用しないときには、塵埃除去箱内にモップの紡糸を入れ、柄を透孔から塵埃除去箱の外部に出しておけば、塵埃除去箱にモップを収納しておくことができる。これにより、塵埃除去箱外部からは汚れたモップの紡糸が直接視認できなくなるので、例えば、モップの紡糸を収納した塵埃除去箱を何処の場所などに置いても美感を損なうこともなくなる。従って、モップ収納場所を容易に確保することができ、モップ用除塵装置の利便性を大幅に向上させることができるようになるものである。
【００１９】
また、請求項４の考案では、請求項１乃至請求項３の何れかに加えて、塵落とし手段は、ベース板と、該ベース板に所定の間隔で立設された複数本の塵落とし棒とを備え、ベース板と塵落とし棒は合成樹脂にて一体に成形されており、各塵落とし棒は、紡糸の長さの１．３倍以上２．０倍以下の長さとされているので、例えば、請求項５の如く各塵落とし棒を、紡糸の長さの１．５倍の長さとすれば、ベース板の上面に落ちた塵埃が塵落とし手段の紡糸下端に届くまでの量、モップの紡糸に付着した塵埃を落とすことができる。これにより、ベース板上に堆積した塵埃が、紡糸に達する高さまで貯まるまでは、塵埃除去箱内に落とした塵埃がモップの紡糸に付着してしまうなどといった不都合も防止することが可能となる。また、ベース板には複数本の塵落とし棒を設けているので、モップの紡糸部分が塵落とし棒から外れることがなく、容易にモップを塵落とし棒に反復衝突させることができる。従って、ベース板上に堆積した塵埃が紡糸に届くまでの間は、モップに吸着した塵埃を簡単、且つ、綺麗に落としてモップを新品同様に再生することができるようになるものである。
【００２０】
特に、ベース板と複数本の塵落とし棒を合成樹脂にて一体に成形しているので、塵落とし棒を複数本設けた塵落とし手段を、極めて簡単、且つ、容易に製造することが可能となる。これにより、塵落とし手段を廉価で製造することができるようになるので、モップ用除塵装置の大幅なコストダウンを図ることができるようになるものである。
【００２１】
また、請求項６の考案では、請求項４又は請求項５において、ベース板の周囲には、他のベース板と連結／離脱可能な連結部が形成されており、該連結部は各ベース板の平断面方向への移動を禁止し、垂直断面方向への移動を許容するので、複数のベース板を連結した状態で、モップの紡糸部分を各ベース板に複数立設した塵落とし棒に反復衝突させた場合でも、各ベース板が離間してしまうことがない。これにより、塵落とし棒を所定の間隔に維持しつつ、塵落とし手段の面積を、当該塵落とし手段単位の面積で拡張することが可能となる。従って、例えばベース板を市販されているモップの小さな紡糸部分の大きさ、或いは、小さな紡糸部分の半分の大きさにしておけば、塵落とし手段の面積を様々なモップの紡糸の大きさに対応させることができ、モップ用除塵装置の汎用性を極めて向上させることができるようになるものである。
【００２２】
また、請求項７の考案では、請求項４乃至請求項６の何れかにおいて、ベース板には当該ベース板の垂直断面方向に貫通する貫通穴が形成されているので、例えば、ボルトや釘などでベース板を塵埃除去箱の底壁に固定することが可能になる。これにより、塵落とし棒にモップの紡糸部分を数回反復衝突させた際、その衝撃で塵埃除去箱に設置したベース板が反発して浮き、他のベース板の上に載ってしまうなどという不都合を未然に防止することができる。また、ベース板に他のベース板が載ることにより、塵落とし棒が傾いてモップの紡糸を反復衝突させる作業が困難になってしまうなどといった不都合も確実に防止することができる。
【００２３】
また、ボルトや釘などでベース板を塵埃除去箱の底壁に固定する際、貫通穴によって合成樹脂のベース板が割れてしまうなどと言った不都合を防止することができる。従って、塵埃除去箱の底壁からベース板が浮いてしまう不都合を確実に防止することができ、極めて容易、且つ、確実にモップの紡糸から塵埃を落とすことができるようになるものである。
【考案を実施するための最良の形態】
【００２４】
本考案は、電気掃除機を使用せずモップに吸着した塵埃を綺麗に落として新品同様のモップに再生できるようにしたことを主要な特徴とする。塵埃を吸着したモップを綺麗に落とすという目的を、蓋を改良して塵埃除去箱上面開口の上方空間周囲を囲繞する縦壁を設け、塵埃除去箱内に設けた塵落とし手段にモップの紡糸を反復衝突させるだけの簡単な構造で実現した。
【００２５】
以下、本考案の実施の形態を図面に基づいて説明する。図１は本考案の一実施例を示すモップ用除塵装置１０の斜視図、図２は本考案の一実施例を示すモップ用除塵装置１０の正面図（蓋３０の開閉状態）、図３は本考案の一実施例を示すモップ用除塵装置１０の正面図（蓋３０を起立させた状態）、図４は本考案の一実施例を示すモップ用除塵装置１０の斜視図（蓋３０を少し開いた状態）、図５は本考案の一実施例を示すモップ用除塵装置１０の内部構成を示す図をそれぞれ示している。
【００２６】
本実施形態におけるモップ用除塵装置１０は、水に濡らさずに塵埃を吸着して掃除するもので、所謂ダストモップ称されるモップ６０（図１１に図示）を用いた除塵装置である。該モップ用除塵装置１０は、図１に示すように上面に形成された上面開口２２（図４に図示）を、開閉自在に閉塞する蓋３０を備えた横長略矩形状の塵埃除去箱１２と、この塵埃除去箱１２内に設けられると共に、モップ６０（紡糸６０Ａ部）に付着した塵埃を落とす塵落とし手段４２（図５に図示）とから構成されている。
【００２７】
塵埃除去箱１２は、図２、図３に示すように底面の横長略矩形状の底壁１８と、この底壁１８の長手方向渡って両端に立設された一対の長側壁１４と、長手方向両端に立設された一対の短側壁１６とから上面開口２２（図５に図示）を有する容器状に構成されている。該上面開口２２には、観音開き式の一対の蓋３０が設けられており、各蓋３０は、両長側壁１４の上端に上面開口２２を開閉自在にそれぞれ蝶番４０にて枢支されている。尚、塵埃除去箱１２（蓋３０を含む）は、所定厚さの合成樹脂板、金属板、木板などにて構成されている。
【００２８】
そして、一方の蓋３０は、上面開口２２を閉じた状態で、他方の蓋３０と所定寸法重なるように幅広に構成されており、他方の蓋３０も一方の蓋３０と略同等に構成されている。即ち、両蓋３０は、塵埃除去箱１２の上面開口２２を閉じた状態で、相互に重複（本考案の少なくとも一部が重複に相当）している。この重複部分を、図１の第２重複部３９にて示している。
【００２９】
また、両蓋３０には、当該両蓋３０の両側部より所定寸法延在する横壁部３４を備えている。これらの横壁部３４は、各蓋３０の両側部で折曲され、各蓋３０を閉じた状態で塵埃除去箱１２内に格納されるように構成されている。また、横壁部３４は蓋３０を開いて起立させた状態で、一方の蓋３０の横壁部３４は対向する他方の蓋３０の、横壁部３４に所定寸法重複（第１重複部３８）する。即ち、蝶番４０を支点にして両蓋３０が開かれ（図２矢印）、起立させた状態で、一方の蓋３０の横壁部３４は対向する他方の蓋３０の、横壁部３４に所定寸法重複する。これにより、一方の蓋３０の横壁部３４と他方の蓋３０の横壁部３４間に隙間ができてしまうのを防止している。
【００３０】
そして、各蓋３０を起立させた状態で、各蓋３０及び横壁部３４により塵埃除去箱１２上面開口２２の上方の空間（上部空間２１）周囲を囲繞し、これによって縦壁３６が構成されている。詳しくは、各蓋３０と横壁部３４とにより、塵埃除去箱１２の上面周囲を囲繞する縦壁３６が構成されている。即ち、塵埃除去箱１２は、底壁１８と一対の長側壁１４と一対の短側壁１６とから形成される内部空間２０の上に、縦壁３６で構成される上部空間２１が形成され、そこに上部開口２４（図５に図示）が形成される。これにより、塵埃除去箱１２の全内部空間（内部空間２０と上部空間２１）が深くなるように構成されている。
【００３１】
ここで、一般的な箱に設けられた蓋は、通常では箱の側壁上端で折曲され、上面の略中央で突き当てることにより箱の上面開口を閉塞しているのが一般的である。そして、蓋を箱の上方に起立させた場合、蓋は、箱の側壁上端で折曲された箇所から突き当て部分までの距離が上方に延在することになる。しかし、本考案では箱の側壁上端で折曲された箇所から突き当てまでの距離に対して、第１重複部３８を設けている。これにより、箱の側壁上端で折曲された箇所から突き当て部分までの蓋の距離を更に延長している。即ち、塵埃除去箱１２は、従来の箱に対して横壁部３４を設けた分、塵埃除去箱１２の深さを深く構成すると共に、更に第１重複部３８の寸法だけ塵埃除去箱１２の深さを深く構成している。
【００３２】
また、塵埃除去箱１２は、蓋３０を閉じた状態で、当該蓋３０の上面開口２２の中心部に対応する位置に、モップ６０の柄６２（図１１に図示）を通過可能な透孔３２が設けられている。詳しくは、図４に示すように、一方の蓋３０の長手方向略中心に位置し、蝶番４０の離間側にＵ字形状に切り欠かれた第１の切欠３０Ａが設けられ、他方の蓋３０の長手方向略中心に位置して第２の切欠３０Ｂが設けられている。尚、第２の切欠３０Ｂは、第１の切欠３０Ａ同様に構成されている。
【００３３】
この第１の切欠３０Ａ及び第２の切欠３０Ｂは、両蓋３０が閉じられた状態で、対向側を相互に開口している。そして、両蓋３０が閉じられた状態で、第１の切欠３０Ａ及び第２の切欠３０Ｂにより、蓋３０に塵埃除去箱１２内部と外部とを連通する透孔３２が形成される。尚、第１の切欠３０Ａ及び第２の切欠３０Ｂは、一方の蓋３０、或いは、他方の蓋３０の何れかに設けても差し支えない。
【００３４】
そして、図５、図６に示すように建築構造体１０内には、モップ６０（紡糸６０Ａ部）に付着した塵埃を落とす塵落とし手段４２が設置される。該塵落とし手段４２は、図６に示すように長さ約１５８ｍｍ、幅約７９ｍｍ、厚さ約１０ｍｍの縦長略矩形状に形成されたベース板４４と、このベース板４４に一体成形され、一面側（上面）に複数立設された塵落とし棒４６とから構成されている。尚、塵落とし手段４２は、ＡＢＳなどの合成樹脂にて構成されており、ベース板４４は、必要に応じて、下面（塵落とし棒４６の反対側の面）が肉盗みされている。
【００３５】
該塵落とし棒４６は、長さ約１２５ｍｍの円柱形状に形成されており、根本部（ベース板４４側）は直径約７ｍｍ、先端部（ベース板４４の離間側）は直径約６ｍｍに形成されている。塵落とし棒４６は、図７に示すように長手方向に６列、幅方向に３列設けられ、合計１８本立設されている。該各塵落とし棒４６は、紡糸６０Ａの長さの１．３倍以上２．０倍以下の長さ、好ましくは紡糸６０Ａ長さの約１．５倍の長さに構成されている。即ち、紡糸６０Ａを塵落とし棒４６の先端に当接させた状態で、紡糸６０Ａの長さを１とした場合、紡糸６０Ａの下端からベース板４４までの塵落とし棒４６の長さを１．５倍、つまり、紡糸６０Ａの長さと塵落とし棒４６の長さとを１：１．５としている（図１１矢印）。
【００３６】
また、ベース板４４には、当該ベース板４４を、建築構造体１０の底壁１８に固定するための貫通穴５０が設けられている。即ち、ベース板４４には、当該ベース板４４の垂直断面方向に貫通する貫通穴５０が形成されている。そして、この貫通穴５０に釘、或いは、ボルトなどが挿通されて、ベース板４４が、建築構造体１０の底壁１８に固定される。これにより、建築構造体１０内に収納されて、底壁１８に載置した塵落とし手段４２が動いてしまうのを防止している。
【００３７】
また、塵落とし手段４２のベース板４４周囲には、他のベース板４４と連結／離脱可能な連結部４８が形成されている。この連結部４８は、ベース板４４と他のベース板４４とを連結した状態で、各ベース板４４の平断面方向（板厚方向）への移動を禁止し、垂直断面方向（直交方向）への移動を可能に構成している。詳しくは、入り口側が狭く、内部を広く切り込んだ逆くさび形の切込部４８Ａと、この切込部４８Ａと切込部４８Ａとの間に、切込部４８Ａを逆にした形状の突出部４８Ｂを突出させて設けている。そして、切込部４８Ａと突出部４８Ｂとを交互に連続して多数設けた連結部４８をベース板４４の周囲に構成している。この連結部４８は、ベース板４４の一側と一方（図７の右側及び上側）と、他側と他方（図７の左側及び下側）とが相互に嵌合可能な形状に形成されている。
【００３８】
具体的に連結部４８は、ベース板４４の一側（図７右側）に切込部４８Ａが４箇所設けられ、他側（図７左側）に突出部４８Ｂが４箇所設けられている。そして、一側の切込部４８Ａ間及び切込部４８Ａの両端に突出部４８Ｂが設けられ、他側の突出部４８Ｂ間には切込部４８Ａが設けられると共に、突出部４８Ｂの両端は切込部４８Ａ同等の深さに切り欠かれている。同様にベース板４４の一方の側面（図７上側）に切込部４８Ａが１０箇所設けられ、他方の側面（図７下側）に突出部４８Ｂが１０箇所設けられている。
【００３９】
そして、ベース板４４は図８矢印で示すように、ベース板４４の他側に設けた突出部４８Ｂに他のベース板４４の一側に設けた切込部４８Ａが嵌合される。また、ベース板４４の下側に設けた突出部４８Ｂに他のベース板４４の上側に設けた切込部４８Ａが嵌合される。このとき、切込部４８Ａと突出部４８Ｂとの嵌合は、一枚のベース板４４の切込部４８Ａに対して、他のベース板４４の突出部４８Ｂを塵落とし棒４６の延在方向から嵌合させる。
【００４０】
そして、図９のように複数枚（４枚）のベース板４４を田の字型に連結した塵落とし手段４２を構成することができる。該ベース板４４は、幅寸法に対して、長さ寸法を２倍に構成しているので、図１０のように６枚のベース板４４を連結した塵落とし手段４２を構成することもできる。この場合、２枚のベース板４４を長さ方向に縦列連結し、これを２組並列連結してから、両端部にそれぞれベース板４４を並列連結して塵落とし手段４２を構成する。尚、この６枚の連結は、ベース板４４を３枚縦列連結し、それを２組並列連結しても同様の面積の塵落とし手段４２を構成することもできる。
【００４１】
即ち、塵落とし手段４２の面積を少しずつ（この場合、ベース板４４の幅方向）、大きくすることができる。まず、ベース板４４を幅方向に２枚並列連結した大きさの塵落とし手段４２を形成する（１）。次に、ベース板４４を一枚追加して幅方向に３枚並列連結した大きさの塵落とし手段４２を形成する（２）。これにより、ベース板４４は（１）に対してベース板４４の幅方向寸法分、大きくすることができる。
【００４２】
また、ベース板４４を一枚追加して幅方向に４枚並列連結した大きさの塵落とし手段４２を形成する（３）。この場合、ベース板４４を長さ方向に２枚縦列連結させ、これを２組並列連結しても同様形状に形成することができる。これにより、ベース板４４は（２）に対してベース板４４の幅方向寸法分、大きくすることができる。次に、ベース板４４を一枚追加して幅方向に５枚並列連結した大きさの塵落とし手段４２を形成する（４）。これにより、ベース板４４は（３）に対してベース板４４の幅方向寸法分、大きくすることができる。即ち、塵落とし手段４２は、ベース板４４の幅寸法分一枚ずつ大きくしていくことができる。これにより、様々な大きさのモップ６０（紡糸６０Ａ部）に対応して、塵落とし手段４２の大きさを変えることができる。
【００４３】
そして、モップ６０を収納する場合、蓋３０を開けモップ６０の紡糸６０Ａを塵埃除去箱１２内に設けた塵落とし手段４２の塵落とし棒４６上に載置し、蓋３０を閉じる。このとき、図１１に示すように、モップ６０の柄６２を蓋３０に設けた透孔３２より上方に延在させる。該蓋３０に設けた透孔３２は、各蓋３０にそれぞれ第１の切欠３０Ａ及び第２の切欠３０Ｂを設けることにより形成される。これにより、各蓋３０を閉じるとき、第１の切欠３０Ａ及び第２の切欠３０Ｂの開口側から柄６２が挿入されることになるので、何ら不具合が生じることなく蓋３０を閉じるだけでモップ６０の柄６２を、透孔３２内に挿通させることができる。これにより、モップ６０（紡糸６０Ａ）は塵埃除去箱１２内に収納され、柄６２は透孔３２から上方に延在する。
【００４４】
次に、モップ６０の紡糸６０Ａに付着した塵埃を落とす場合は、図１２に示すように、塵埃除去箱１２の蓋３０を開け、起立させる。このとき、蓋３０にはストッパー（図示せず）が設けられており、このストッパーにより蓋３０は起立した状態で維持される。次に、塵埃除去箱１２内から、モップ６０を取り出し、清掃を行う。そして、塵埃が付着したモップ６０（紡糸６０Ａ部）が塵埃除去箱１２内に入れられ、そこで、塵落とし棒４６にモップ６０の紡糸６０Ａ部分を反復衝突させる。これにより、紡糸６０Ａに付着した塵埃は、塵埃除去箱１２内の下部（塵落とし手段４２のベース板４４上）に落下し、紡糸６０Ａからは塵埃が綺麗に落ちて、モップ６０は新品同様に再生される。
【００４５】
このように、モップ用除塵装置１０は、蓋３０を閉じた状態で、当該蓋３０の各横壁部３４は塵埃除去箱１２内に格納されると共に、各蓋３０を起立させた状態で、各蓋３０及び横壁部３４により塵埃除去箱１２上面開口２２の上部空間２１の周囲を囲繞する縦壁３６が構成しているので、この縦壁３６により蓋３０を閉じたときよりも塵埃除去箱１２の深さを深くすることができる。これにより、モップ６０の紡糸６０Ａから落ちた塵埃が、縦壁３６の上部開口２４から外部に飛散してしまうのを防止でき、モップ６０の紡糸６０Ａから落ちた塵埃を塵埃除去箱１２内に確実に収容することができる。また、モップ６０の紡糸６０Ａから落ちた塵埃が塵埃除去箱１２周囲に飛散して、塵埃除去箱１２の周囲が汚れてしまうなどの不都合を防止することもできる。
【００４６】
また、各蓋３０を起立させた状態で、一方の蓋３０の横壁部３４は対向する他方の蓋３０の、横壁部３４に重複（第１重複部３８）することで縦壁３６を構成しているので、一方の蓋３０の縦壁３６と、対向する他方の蓋３０の、縦壁３６間に隙間が空いてしまうのを確実に防止することができる。これにより、横壁部３４により構成される縦壁３６に隙間がなくなるので、塵埃除去箱１２内の塵埃が漏れ出てしまうのを防止することができる。従って、塵埃除去箱１２内の塵埃が両横壁部３４間から塵埃除去箱１２外部に飛散して、周囲を汚してしまうなどといった不都合を確実に防止することができる。
【００４７】
また、各蓋３０は、塵埃除去箱１２の上面開口２２を閉じた状態で少なくとも一部が重複（第２重複部３９）すると共に、上面開口２２の中心部に対応する位置に、モップ６０の柄６２が通過可能な透孔３２を構成するので、通常先端が箱上面の略中央で突き当てになっている蓋を開いたときよりも、一部が重複（第２重複部３９）した蓋３０を開いた方が、重複（第２重複部３９）している寸法だけ塵埃除去箱１２の深さを深くすることができる。これにより、モップ６０の紡糸６０Ａから落ちた塵埃が縦壁３６の上部開口２４から飛び出して、塵埃除去箱１２の周囲が汚れてしまうなどの不都合を一層確実に防止することができる。
【００４８】
特に、各蓋３０を閉じた状態で、塵埃除去箱１２の上面開口２２の中心部に対応する位置に、モップ６０の柄６２が通過可能な透孔３２を構成するので、モップ６０を使用しないときには、塵埃除去箱１２内にモップ６０の紡糸６０Ａを入れ、柄６２を透孔３２から塵埃除去箱１２の外部に出しておけば、塵埃除去箱１２にモップ６０を収納しておくことができる。これにより、モップ６０の汚れた紡糸６０Ａが直接視認できなくなり、モップ６０の紡糸６０Ａを収納した塵埃除去箱１２を何処の場所などに置いても美感を損なうこともなくなる。
【００４９】
また、塵落とし手段４２は、ベース板４４と、該ベース板４４に所定の間隔で立設された複数本の塵落とし棒４６とを備え、ベース板４４と塵落とし棒４６を合成樹脂にて一体に成形している。そして、各塵落とし棒４６を、紡糸６０Ａの長さの約１．５倍の長さとしているので、塵落とし手段４２を構成するベース板４４の上面から、紡糸６０Ａに届くまでの距離だけ塵埃除去箱１２内にモップ６０の紡糸６０Ａに付着させた塵埃を落として貯めることができる。これにより、ベース板４４に堆積した塵埃が紡糸６０Ａに達する高さまで貯まるまでは、モップ６０の紡糸６０Ａに付着させた塵埃を塵埃除去箱１２内に落とすことができる。従って、塵埃除去箱１２内に落とした塵埃がモップ６０の紡糸６０Ａに付着してしまうなどといった不都合も防止することが可能となる。
【００５０】
また、ベース板４４には複数本の塵落とし棒４６を設けているので、モップ６０の紡糸６０Ａ部分が塵落とし棒４６から外れることなく、容易にモップ６０を塵落とし棒４６に反復衝突させることができる。従って、落とした塵埃が紡糸６０Ａに届くまでの間は、モップ６０に吸着した塵埃を簡単、且つ、綺麗に落としてモップ６０を新品同様に再生することができるようになる。また、ベース板４４には複数本の塵落とし棒４６を設けているので、モップ６０の紡糸６０Ａ部分が塵落とし棒４６から外れることがなく、モップ６０を塵落とし棒４６に容易に反復衝突させることができる。
【００５１】
特に、ベース板４４と複数本の塵落とし棒４６を合成樹脂にて一体に成形しているので、塵落とし棒４６を複数本設けた塵落とし手段４２を、極めて簡単、且つ、容易に製造することが可能となる。これにより、塵落とし手段４２を廉価で製造することができるようになり、モップ用除塵装置１０の大幅なコストダウンを図ることができる。
【００５２】
また、ベース板４４の周囲には、他のベース板４４と連結／離脱可能な連結部４８を形成している。この連結部４８は各ベース板４４の平断面方向への移動を禁止し、垂直断面方向への移動を許容するので、複数のベース板４４を連結した状態で、モップ６０の紡糸６０Ａ部分を各ベース板４４に複数立設した塵落とし棒４６に反復衝突させた場合でも、各ベース板４４が離間してしまうことがない。
【００５３】
これにより、塵落とし棒４６を所定の間隔に維持しつつ、塵落とし手段４２の面積を、当該塵落とし手段４２単位の面積で拡張することが可能となる。従って、例えばベース板４４を市販されている小さなモップ６０（紡糸６０Ａ部分）、若しくは、小さなモップ６０の半分の大きさにしておけば、塵落とし手段４２の面積を様々な大きさのモップ６０に対応させることができ、モップ用除塵装置１０の汎用性を極めて向上させることができる。
【００５４】
また、ベース板４４には当該ベース板４４の垂直断面方向に貫通する貫通穴５０を形成している。これにより、ボルトや釘などでベース板４４を塵埃除去箱１２の底壁１８に固定することが可能になる。また、塵落とし棒４６にモップ６０の紡糸６０Ａ部分を数回反復衝突させた際、その衝撃で塵埃除去箱１２に設置したベース板４４が反発して浮き、他のベース板４４の上に載ってしまうなどという不都合を未然に防止することができる。また、ベース板４４に他のベース板４４が載ることにより、塵落とし棒４６が傾いてモップ６０の紡糸６０Ａを反復衝突させる作業が困難になってしまうなどといった不都合も確実に防止することができる。
【００５５】
また、ボルトや釘などでベース板４４を塵埃除去箱１２の底壁１８に固定する際、貫通穴５０によって合成樹脂のベース板４４が割れてしまうなどと言った不都合を防止することができる。従って、塵埃除去箱１２の底壁１８からベース板４４が浮いてしまう不都合を確実に防止することができ、極めて容易、且つ、確実にモップ６０の紡糸６０Ａから塵埃を落とすことができる。
【００５６】
尚、実施例では、塵落とし手段４２をベース板４４と塵落とし棒４６を合成樹脂にて一体成形したが、塵落とし手段４２は合成樹脂による一体成形のものに限らず、ベース板４４と塵落とし棒４６とをそれぞれ別々に構成しても本発明は有効である。この場合、塵落とし手段４２を合成樹脂で成形するための高価な金型が不要となり、少量生産する場合には、塵落とし手段４２を安価に製造することができ、便利である。
【００５７】
また、実施例ではモップ用除塵装置１０の形状や寸法などを記載したが、モップ用除塵装置１０は本考案の 要旨を逸脱しない範囲内で形状や寸法などを変更しても有効である。勿論本考案は、上記各実施例のみに限定されるものではなく、この考案の趣旨を逸脱しない範囲で他の様々な変更を行っても本考案は有効である。
【図面の簡単な説明】
【００５８】
【図１】本考案の一実施例を示すモップ用除塵装置の斜視図である。
【図２】本考案の一実施例を示すモップ用除塵装置の正面図（蓋の開閉状態）である。
【図３】本考案の一実施例を示すモップ用除塵装置の正面図（蓋を起立させた状態）である。
【図４】本考案の一実施例を示すモップ用除塵装置の斜視図（蓋を少し開いた状態）である。
【図５】本考案の一実施例を示すモップ用除塵装置の内部構成を示す模式図である。
【図６】本考案のモップ用除塵装置を構成する塵落とし手段の正面図である。
【図７】同図６の塵落とし手段の平面図である。
【図８】本考案のモップ用除塵装置を構成する塵落とし手段周囲に設けた連結部で複数の塵落とし手段を連結する状態を示す図である。
【図９】塵落とし手段を４個連結した状態を示す図である。
【図１０】塵落とし手段を６個連結した状態を示す図である。
【図１１】内部にモップを収納した状態を示す塵埃除去箱の縦断側面模式図である。
【図１２】モップ用除塵装置にてモップの塵埃を落としている状態を示す塵埃除去箱の縦断側面模式図である。
【符号の説明】
【００５９】
１０  モップ用除塵装置
１２  塵埃除去箱
１４  長側壁
１６  短側壁
１８  底壁
２０  内部空間
２１  上部空間
２２  上面開口
２４  上部開口
３０  蓋
３２  透孔
３４  横壁部
３６  縦壁
３８  第１重複部
３９  第２重複部
４２  塵落とし手段
４４  ベース板
４６  塵落とし棒
４８  連結部
５０  貫通穴
６０  モップ
６０Ａ  紡糸
６２  柄
【図１】
0003135573.tif 000003
【図２】
0003135573.tif 000004
【図３】
0003135573.tif 000005
【図４】
0003135573.tif 000006
【図５】
0003135573.tif 000007
【図６】
0003135573.tif 000008
【図７】
0003135573.tif 000009
【図８】
0003135573.tif 000010
【図９】
0003135573.tif 000011
【図１０】
0003135573.tif 000012
【図１１】
0003135573.tif 000013
【図１２】
0003135573.tif 000014